(57)【特許請求の範囲】
【請求項１】
通信を行う通信端末と、前記通信端末が前記通信を行うために利用する基地局とを有する通信システムにおいて、
前記通信端末は、前記通信端末が備える複数の入力部のそれぞれに該通信端末が通話接続できない理由を紐付けしておき、
前記通信端末は、通話できない状態にあるときに他の通信端末からの着信があった場合は、前記複数の入力部の何れかがユーザーからの入力を受け付け、該受け付けた入力部に紐付けられている通話接続できない理由を前記基地局に通知し、
前記基地局は、発信側の前記通信端末である第１の通信端末からの発信信号を全ての基地局の中で最初に受け取ることにより発信側の基地局となった場合であって、且つ、前記第１の通信端末が着信側の前記通信端末である第２の通信端末に対して通話を試みたが該通話ができなかった場合に、前記第１の通信端末に対して、前記ユーザーからの入力を受け付けた入力部に紐付けられている前記第２の通信端末との通話接続ができなかった理由を通知することを特徴とする通信システム。
【請求項２】
請求項１に記載の通信システムにおいて、
前記基地局は、前記第１の端末からの発信信号を前記第２の通信端末に対して直接送信することにより着信側の基地局となった場合であって、且つ、前記第１の通信端末が着信側の前記通信端末である第２の通信端末に対して通話を試みたが該通話ができなかった場合に、前記第２の通信端末から前記ユーザーからの入力を受け付けた入力部に紐付けられている通話接続ができなかった理由に適応する着信拒否信号を受信し、該着信拒否信号を前記第１の通信端末が利用する前記発信側の基地局に送信することを特徴とする通信システム。
【請求項３】
請求項２に記載の通信システムにおいて、
前記基地局は、前記発信側の基地局になった場合に前記着信拒否信号を受信すると、
該着信拒否信号を前記第１の通信端末に送信し、
前記第１の通信端末は、前記発信側の基地局から受信した前記着信拒否信号の種類により判別できる前記第２の通信端末と通話ができなかった理由を、前記ユーザーに通知することを特徴とする通信システム。
【請求項４】
請求項１乃至３の何れか１項に記載の通信システムにおいて、
前記基地局は、前記着信側の基地局になった場合であって、且つ、前記第１の通信端末が着信側の前記通信端末である第２の通信端末に対して通話を試みたが該通話ができなかった場合に、前記第１の通信端末の及び前記第２の通信端末の電話番号を着信履歴として記憶しておき、前記第２の通信端末が着信可能状態となった際に前記着信履歴を用いて前記第１の通信端末に対して前記第２の通信端末が着信可能状態となった旨を通知することを特徴とする通信システム。
【請求項５】
請求項１乃至４の何れか１項に記載の通信システムにおいて、
前記通信端末は、前記複数の入力部のそれぞれと、該通信端末が通話接続できない理由との紐付けを、前記ユーザーの操作に応じて変更することを特徴とする通信システム。
【請求項６】
通信を行う通信端末と、前記通信端末が前記通信を行うために利用する基地局とを有する通信システムが行う通信方法において、
前記通信端末は、前記通信端末が備える複数の入力部のそれぞれに該通信端末が通話接続できない理由を紐付けしておき、
前記通信端末は、通話できない状態にあるときに他の通信端末からの着信があった場合は、前記複数の入力部の何れかがユーザーからの入力を受け付け、該受け付けた入力部に紐付けられている通話接続できない理由を前記基地局に通知し、
前記基地局は、発信側の前記通信端末である第１の通信端末からの発信信号を全ての基地局の中で最初に受け取ることにより発信側の基地局となった場合であって、且つ、前記第１の通信端末が着信側の前記通信端末である第２の通信端末に対して通話を試みたが該通話ができなかった場合に、前記第１の通信端末に対して、前記ユーザーからの入力を受け付けた入力部に紐付けられている前記第２の通信端末との通話接続ができなかった理由を通知することを特徴とする通信方法。
【発明の詳細な説明】
【技術分野】
【０００１】
本発明は携帯電話機に代表される通信端末間での発着信履歴を利用した情報伝達に関する。
【背景技術】
【０００２】
現在、携帯電話機が広く普及しており、携帯電話機はライフスタイルの重要なアイテムになっている。このような状況下で、携帯電話機を使用して連絡をとりたい場合であっても相手方の状況（通話中、電源ＯＦＦ等）によって連絡が取れない場合がある。
【０００３】
このような場合に対応するため多くの携帯電話機では、発信者側が通話を試みたが通話状態が確立できなかった際に、着信履歴として発信側の電話番号が着信側の携帯電話機に記録される機能を有している。
【０００４】
例えば、特許文献１にはこのような着信履歴を編集する技術が記載されている。
【０００５】
そして、着信側の携帯電話機の利用者は、このような着信履歴を参照することにより相手側に折り返しの連絡を取ることができる。
【先行技術文献】
【特許文献】
【０００６】
【特許文献１】特開２００９−６０４８８号公報
【発明の概要】
【発明が解決しようとする課題】
【０００７】
しかしながら上述したような着信履歴が残されていたとしても、着信側の携帯電話機の利用者が折り返しの連絡を必ずするとは限らない。
【０００８】
また、発信者側からみれば着信者側の状態が分からなかったり再度発信するタイミングが分からなかったりするので、連絡を取りたい側（発信者側）が、困ることは多い。
【０００９】
更に、災害時などは安否確認などにも携帯電話機は重要な役割を果たす為、安定した電波状況の整備の他にも安定した発着信履歴システムが求められている。
【００１０】
こんな中、発信者側が着信者側の状態を把握することが可能な機能やシステムが必要とされている。
【００１１】
そこで、本発明は携帯電話機の発着信履歴システムにおいて発信者は電話に出ない、または出られない着信者の状況を知ることが可能となる通信システム及び通信方法を提供することを目的とする。
【課題を解決するための手段】
【００１２】
本発明の第１の観点によれば、通信を行う通信端末と、前記通信端末が前記通信を行うために利用する基地局とを有する通信システムにおいて、前記通信端末は、前記通信端末が備える複数の入力部のそれぞれに該通信端末が通話接続できない理由を紐付けしておき、前記通信端末は、通話できない状態にあるときに他の通信端末からの着信があった場合は、前記複数の入力部の何れかがユーザーからの入力を受け付け、該受け付けた入力部に紐付けられている通話接続できない理由を前記基地局に通知し、前記基地局は、発信側の前記通信端末である第１の通信端末からの発信信号を全ての基地局の中で最初に受け取ることにより発信側の基地局となった場合であって、且つ、前記第１の通信端末が着信側の前記通信端末である第２の通信端末に対して通話を試みたが該通話ができなかった場合に、前記第１の通信端末に対して、前記ユーザーからの入力を受け付けた入力部に紐付けられている前記第２の通信端末との通話接続ができなかった理由を通知することを特徴とする通信システムが提供される。
【００１３】
本発明の第２の観点によれば、通信を行う通信端末と、前記通信端末が前記通信を行うために利用する基地局とを有する通信システムが行う通信方法において、
前記通信端末は、前記通信端末が備える複数の入力部のそれぞれに該通信端末が通話接続できない理由を紐付けしておき、前記通信端末は、通話できない状態にあるときに他の通信端末からの着信があった場合は、前記複数の入力部の何れかがユーザーからの入力を受け付け、該受け付けた入力部に紐付けられている通話接続できない理由を前記基地局に通知し、前記基地局は、発信側の前記通信端末である第１の通信端末からの発信信号を全ての基地局の中で最初に受け取ることにより発信側の基地局となった場合であって、且つ、前記第１の通信端末が着信側の前記通信端末である第２の通信端末に対して通話を試みたが該通話ができなかった場合に、前記第１の通信端末に対して、前記ユーザーからの入力を受け付けた入力部に紐付けられている前記第２の通信端末との通話接続ができなかった理由を通知することを特徴とする通信方法が提供される。
【発明の効果】
【００１５】
本発明によれば、携帯電話機の発着信履歴システムにおいて発信者は電話に出ない、または出られない着信者の状況を知ることができるようになることから「つながらない」という不安や不便を多少なりとも解消することが可能となる。
【図面の簡単な説明】
【００１６】
【図１】本発明の実施形態の基本的構成を表す図である。
【図２】本発明の実施形態における基地局（ＢＳ）の基本的構成を表す図である。
【図３】本発明の実施形態の基本的動作を表す図（１／２）である。
【図４】本発明の実施形態の基本的動作を表す図（２／２）である。
【発明を実施するための形態】
【００１７】
まず、本発明の実施形態の概略を説明する。本発明の実施形態は、基地局は携帯電話機が待受け中／圏外／通信中／通話中などの状況を基地局にて受信することが可能であり、通信／通話が終了した際の信号も受信することが可能である為、各通信／通話状態の信号から、発着信の動作を把握できることを利用したものである。
【００１８】
そして、基地局は上記の通信状況や発着信の動作信号から発信元のユーザーに対して発信先の携帯電話機の情報を音声ガイダンスとして発信することで、ユーザーは通信が接続不可能な場合でもその理由を把握することが可能となる。
【００１９】
また、接続不可となっても着信した履歴は記憶され、接続不可から接続可能状態に移行した際に着信履歴から発信元へメールにて自動的に接続可能状態に移行したことを通知することも可能となる。
【００２０】
次に、本発明の実施形態について図面を用いて詳細に説明する。
【００２１】
まず、図１、図２を用いて本発明の実施形態の構成について説明する。次に、図３及び図４を用いて本発明の動作例を説明する。
【００２２】
図１に、本実施形態である携帯電話機のネットワークシステムを示す。
【００２３】
図１を参照すると、本実施形態は、携帯電話機（以下の説明及び図面中では適宜「ＭＳＳ」と呼ぶ。）と基地局（以下の説明及び図面中では適宜「ＢＳ」と呼ぶ。）と基地局が形成する電波網を有している。なお、携帯電話機は本願発明における「通信端末」に相当する。
【００２４】
図１では、３台のＭＳＳ（第１のＭＳＳ２０１、第２のＭＳＳ２０２、第３のＭＳＳ２０３）とその各端末が位置している電波網を形成する３台のＢＳ（第１のＢＳ１０１、第２のＢＳ１０２、第３のＢＳ１０３）のシステム構成を実施形態の一例として示す。
【００２５】
なお、図１には説明の便宜上３台のＭＳＳ及び三台のＢＳを示すが、これは本実施形態の適用できる範囲を限定するものではない。本実施形態は任意の台数のＭＳＳ及びＢＳで構成することが可能である。またＭＳＳとＢＳの関係は必ずしも一対一でなくともよい。例えば、一つのＢＳと複数のＭＳＳが通信を行うようにしてもよい。
【００２６】
図２を参照すると、本実施形態の第１のＢＳ１０１は、無線部１１０、制御部１２０、記憶部１３０を有している。なお、ＢＳの説明をするために第１のＢＳ１０１を例に取ったが、本実施形態の他のＢＳも図２に示す第１のＢＳ１０１と同様の構成を有している。
【００２７】
無線部１１０と制御部１２０間では、着信信号（図中では「Ｓ１」と表記する。）、着信拒否信号（図中では「Ｓ２」と表記する。）、着信可信号（図中では「Ｓ３」と表記する。）、メール送信信号（図中では「Ｓ４」と表記する。）がやり取りされる。制御部１２０と記憶部１３０間ではガイダンス信号（図中では「Ｓ５」と表記する。）、発着信番号信号（図中では「Ｓ６」と表記する。）がやり取りされる。なおこれら各信号毎に接続線を設けてもよく、複数の信号を単一の接続線によりやり取りしてもよい。
【００２８】
記憶部１３０には、ガイダンス情報１３０−１及び発着信電話番号１３０−２が記録されている。
【００２９】
ガイダンス情報１３０−１としては、着信側のＭＳＳが原因で接続ができない場合（接続ＮＧの場合）に送信される単一若しくは複数のガイダンスが記憶されている。複数記憶されている場合は、携帯電話機が着信不可の原因となる複数の理由に合わせてガイダンスが記憶されている。
【００３０】
本実施形態における以下の説明では、通話中の為着信不可能という理由で着信拒否信号を送受信するが、それ以外の通信状態でも通話できない場合に合わせて複数種類の拒否信号を持つことで拒否信号とガイダンスの組み合わせを持ち、制御部は複数の拒否信号に適合したガイダンス信号を送信する。つまり、ガイダンスとしては、着信側のＭＳＳが通話中である意を示すものが例として挙げられるが、これ以外にも例えば着信側のＭＳＳが圏外である意を示すものや、電源ＯＦＦである意を示すもの、若しくはこれ以外の状況を示すものが用意されていてもよい。
【００３１】
また、発着信電話番号１３０−２として発信側として受け付けた電話番号及び着信側として受け付けた電話番号が記憶されている。
【００３２】
携帯電話機端末装置のユーザー側（ＭＳＳ側）の動作例を図３を参照して説明する。
【００３３】
前提として、現在は第２のＭＳＳ２０２と第３のＭＳＳ２０３が通話状態であるものとする。また、今回の動作例ではユーザーは第１のＭＳＳ２０１を使用しており、第２のＭＳＳ２０２に対して通話を試みようとしている状態であるものとする。
【００３４】
まず、第２のＭＳＳ２０２と第３のＭＳＳ２０３が通話状態時に、第１のＭＳＳ２０１が第２のＭＳＳ２０２に対して発信動作に入る（ステップＡ３０１）。しかし、発信先が通話中の場合は、接続がＮＧとなる（ステップＡ３０２においてＹＥＳ）。
【００３５】
この場合、第１のＭＳＳ２０１には接続がＮＧである理由のガイダンスが流れる（ステップＡ３０３）。
【００３６】
続いて第１のＭＳＳ２０１のユーザーは終話動作し（ステップＡ３０４）、第１のＭＳＳ２０１は待受動作となる（ステップＡ３０５）。
【００３７】
後に第２のＭＳＳ２０２の通話が終了すると（ステップＡ３０６）、第２のＭＳＳ２０２から着信可信号が発信され第２のＢＳ１０２は着信可信号を第１のＢＳ１０１に発信する。第１のＢＳ１０１は第１のＭＳＳ２０１に対して、第２のＭＳＳ２０２の通話が終了したという意の終話通知メールを送信する。第１のＭＳＳ２０１は終話通知メールを受信する（ステップＡ３０７）。
【００３８】
終話通知メールを確認した第１のＭＳＳ２０１のユーザーが、再度の発信を希望する場合は、再度の発信動作に入る（ステップＡ３０８においてＹＥＳ）。この場合は、ステップＡ３０１から再度動作が再開される。
【００３９】
そして、今回発信先である第２のＭＳＳ２０２が通話中でなく、接続可能な状態であれば（ステップＡ３０２においてＮＯ）、接続が確立される（ステップＡ３０９）。その後は、一般的な通話動作であり、通話を行い（ステップＡ３１０）、終話した（ステップＡ３１１）後は、待ち受け状態に戻る（ステップＡ３１２）。
【００４０】
なお、終話通知メールを確認した第１のＭＳＳ２０１のユーザーが、再度の発信を希望
しない場合（例えば、既にＥメールで要件を伝達した場合）は、必ずしも再度の発信を行う必要は無い（ステップＡ３０８においてＮＯ）。
【００４１】
次にＢＳ側の動作例を図４を参照して説明する。
【００４２】
なお、図３を用いた説明時と同じく現在は第２のＭＳＳ２０２と第３のＭＳＳ２０３が通話状態であるものとする。また、今回の動作例ではユーザーは第１のＭＳＳ２０１を使用しており、第２のＭＳＳ２０２に対して通話を試みようとしている状態であるものとする。
【００４３】
第２のＭＳＳ２０２と第３のＭＳＳ２０３が第２のＢＳ１０２と第３のＢＳ１０３を介して通話中の時（ステップＡ４０１）、第２のＭＳＳ２０２に第１のＭＳＳ２０１から第２のＢＳ１０２と第１のＢＳ１０１を介して着信があるとする（ステップＡ４０２においてＹＥＳ）。この場合、第２のＢＳ１０２から第２のＭＳＳ２０２に着信信号が送信される（ステップＡ４０３）。
【００４４】
第２のＭＳＳ２０２は着信信号を受信する。第２のＭＳＳ２０２のユーザーにより第３のＭＳＳ２０３との通話状態継続が選択されると（ステップＡ４０４においてＹＥＳ）、ステップＡ４０６に進む。一方、第２のＭＳＳ２０２が例えばキャッチホン（登録商標）に代表されるようなコールウェイティング(call waiting)の機能を有していれば着信信号が割り込み信号となり、第２のＭＳＳ２０２は第１のＭＳＳ２０１、第２のＭＳＳ２０２両方と接続状態をもつことが可能となる（ステップＡ４０４においてＮＯ、ステップＡ４０５）。ここで、コールウェイティングとは、通話中に別の電話の着信があった場合に、通話中の相手を一時的に待たせて別の電話の着信を受けることのできる機能のことを指すものとする。
【００４５】
ステップＡ４０６では、第２のＢＳ１０２から第１のＢＳ１０１へ着信拒否信号が送信される（ステップＡ４０６）。第１のＢＳ１０１は着信拒否信号を受信する（ステップＡ４０７）。第１のＢＳ１０１の記憶部から、着信拒否信号受信時流すガイダンス信号が出力され、第１のＭＳＳ２０１へ送信される（ステップＡ４０８）。その結果第１のＭＳＳ２０１には第２のＭＳＳ２０２が通話中で着信不可である意のガイダンスが流れる。
【００４６】
次に、第２のＭＳＳ２０２と第３のＭＳＳ２０３の通話動作が終了したとする（ステップＡ４０９においてＹＥＳ）。
【００４７】
そうすると第２のＢＳ１０２から第１のＢＳ１０１へ着信可信号が送信される（ステップＡ４１０）。着信可信号を受信した第１のＢＳ１０１は（ステップＡ４１１）、第１のＭＳＳ２０１に対して、「第２のＭＳＳ２０２の通話が終了した」という意の終話通知メールを送信する（ステップＡ４１２）。
【００４８】
次に、図３及び図４のフローチャートを用いて本実施形態のＢＳ側及びＭＳＳ側が協調した一連の動作について説明する。
【００４９】
今回の説明では、ユーザー１が使用する携帯電話機端末を第１のＭＳＳ２０１、ユーザー２が使用する携帯電話機端末を第２のＭＳＳ２０２、ユーザー３が使用する携帯電話機端末を第３のＭＳＳ２０３とした場合、図１に示すようなイメージの通信網が確立されている。
【００５０】
第２のＭＳＳ２０２と第３のＭＳＳ２０３が通話中の時（ステップＡ４０１）、第２のＭＳＳ２０２に第１のＭＳＳ２０１から着信があると（ステップＡ４０２）、第２のＢＳ１０２から第２のＭＳＳ２０２に着信信号が送信される（ステップＡ４０３）。第２のＭＳＳ２０２は着信信号を受信する。ここで、第２のＭＳＳ２０２には着信履歴として第１のＭＳＳ２０１から着信があったことが記憶される。
【００５１】
また、ここでキャッチホンなどのサービスを有する場合は着信信号が割り込み信号となり、第２のＭＳＳ２０２は第１のＭＳＳ２０１、第２のＭＳＳ２０２両方と接続状態をもつことが可能となる。（ステップＡ４０４、ステップＡ３０５）
第３のＭＳＳ２０３の通話状態継続が選択されると、第２のＢＳ１０２から第１のＢＳ１０１へ着信拒否信号が送信される（ステップＡ４０６）。第１のＢＳ１０１は着信拒否信号を受信する（ステップＡ４０７）。接続がＮＧとなる。第１のＢＳ１０１は記憶部から、着信拒否信号受信時流すガイダンス信号が出力される（ステップＡ４０８）。
【００５２】
第２のＭＳＳ２０２が電源ＯＦＦまたは圏外の場合以外では、接続中を知らせる音が流れるだけで第２のＭＳＳ２０２の状態がわからないが本発明では第１のＭＳＳ２０１には接続がＮＧである理由のガイダンスが流れる。電源ＯＦＦ、圏外以外にも通話中、通信中等内容は多岐に渡る。
【００５３】
第１のＢＳ１０１は記憶部から、着信拒否信号受信時流すガイダンス信号が出力される。第１のＭＳＳ２０１のユーザーはガイダンスを受けて終話動作し（ステップＡ３０４）、第１のＭＳＳ２０１は待受動作となる。（ステップＡ３０５）。
【００５４】
次に第２のＭＳＳ２０２の通話動作が終了すると第２のＢＳ１０２から第１のＢＳ１０１へ着信可信号が送信される（ステップＡ４１０）。着信可信号を受信した第１のＢＳ１０１は、第１のＭＳＳ２０１に対して、「第２のＭＳＳ２０２の通話が終了した」という意の終話通知メールを送信する（ステップＡ４１２）。
第１のＭＳＳ２０１のユーザーは終話通知メールを受信し（ステップＡ３０７）、第２のＭＳＳ２０２へ接続可能であることを容易に知ることができる。第１のＭＳＳ２０１のユーザーは第２のＭＳＳ２０２のユーザーへ接続すれば高い確率で通話可能になる。
【００５５】
以上説明した本発明の実施形態は、以下に示すような多くの効果を奏する。
【００５６】
第一の効果は、発信先の相手（着信者）と接続できない場合でも発信先の状態を容易に把握できることである。その理由は本実施形態では発信者側の操作を増やすことが無いためである。
【００５７】
次に、第二の効果について説明する。本実施形態では、発信者の発信信号と着信者の着信信号を基地局にて受信することが可能である。また、基地局は着信者が通話中であっても通話が終了すると着信可信号を受信することが可能である。そのため、各通信／通話状態の信号から、発着信の動作を把握することができ、ユーザーに対してその情報を発信することで、ユーザーは通信が接続不可能な場合でもその理由を把握することが可能となる。結果として、「つながらない」という不安や不便から多少なりとも解消する発着信履歴システムを実現することができる。すなわち本実施形態の第二の効果は着信者が接続可能な状態に移行した場合、着信履歴から自動的に発信者へメール送付することで発信者と着信者はタイミングを逃さず接続することが可能となることである。
【００５８】
［他の実施形態］ 
本実施形態の変形例として携帯電話機端末ユーザーの設定によって、着信を受けた時に携帯電話機端末の操作受付部（例えば、操作キーやタッチパネル）を押下することで、通話接続状態にしなくても発信先のユーザーに自分の状況を伝えることが可能となるという形態を説明する。なお、以下の説明では操作受付部の具体例として１０キー（数字キー）を想定して説明する。
【００５９】
この変形例では、予め携帯電話機端末の１０キー押下信号にそれぞれに意味をもったメッセージを紐付けておくことで、着信時、通話状態にしなくても発信者にガイダンスでメッセージを送付する。
【００６０】
ＢＳの記憶部１３０に複数のガイダンスを記憶しておく。
【００６１】
ＭＳＳのユーザー設定にガイダンスと１０キーとの紐付けを行う機能を持たすことで実現する。
【００６２】
例えば、「１」キーには「電車に乗っているので電話に出られない」とか。「２」キーには「仕事中だから電話にでられない」などを紐付けておき、着信時に１０キーの何れかを押下することによって、発信先のユーザーには、ガイダンスが流れる。着信側は発信者に自分の状況を伝えることが可能となる。
【００６３】
なお、本発明の実施形態である発着信履歴システムの制御システムは、ハードウェアにより実現することもできるが、コンピュータをその発着信履歴システムの制御システムとして機能させるためのプログラムをコンピュータがコンピュータ読み取り可能な記録媒体から読み込んで実行することによっても実現することができる。
【００６４】
また、本発明の実施形態による発着信履歴システムの制御方法は、ハードウェアにより実現することもできるが、コンピュータにその方法を実行させるためのプログラムをコンピュータがコンピュータ読み取り可能な記録媒体から読み込んで実行することによっても実現することができる。
【００６５】
また、上述した実施形態は、本発明の好適な実施形態ではあるが、上記実施形態のみに本発明の範囲を限定するものではなく、本発明の要旨を逸脱しない範囲において種々の変更を施した形態での実施が可能である。
【００６６】
上記の実施形態の一部又は全部は、以下の付記のようにも記載されうるが、以下には限られない。
【００６７】
（付記１）  通信を行う通信端末が前記通信を行うために利用する基地局が行う通信方法において、
当該基地局が発信側の前記通信端末である第１の通信端末からの発信信号を全ての基地局の中で最初に受け取ることにより発信側の基地局となった場合であって、且つ、前記第１の通信端末が着信側の前記通信端末である第２の通信端末に対して通話を試みたが当該通話ができなかった場合に、前記第１の通信端末に対して前記第２の通信端末との通話接続ができなかった理由を通知することを特徴とする通信方法。
【００６８】
（付記２）  付記１に記載の通信方法において、
当該基地局が前記第１の端末からの発信信号を前記第２の通信端末に対して直接送信することにより着信側の基地局となった場合であって、且つ、前記第１の通信端末が着信側の前記通信端末である第２の通信端末に対して通話を試みたが当該通話ができなかった場合に、前記第２の通信端末から着信拒否信号を受信し、当該着信拒否信号を前記第１の通信端末が利用する前記発信側の基地局に送信することを特徴とする通信方法。
【００６９】
（付記３）  付記２に記載の通信方法において、
当該基地局が前記発信側の基地局になった場合に前記着信拒否信号を受信すると、当該着信拒否信号の種類により判別できる前記第２の通信端末と通話ができなかった理由に適応するガイダンス信号を、前記通話接続ができなかった理由として前記第１の通信端末に通知することを特徴とする通信方法。
【００７０】
（付記４）  付記１乃至３の何れか１項に記載の通信方法において、
当該基地局が前記着信側の基地局になった場合であって、且つ、前記第１の通信端末が着信側の前記通信端末である第２の通信端末に対して通話を試みたが当該通話ができなかった場合に、前記第１の通信端末の及び前記第２の通信端末の電話番号を着信履歴として記憶しておき、前記第２の通信端末が着信可能状態となった際に前記着信履歴を用いて前記第１の通信端末に対して前記第２の通信端末が着信可能状態となった旨を通知することを特徴とする通信方法。
【００７１】
（付記５）  通信を行う通信端末と、前記通信端末が前記通信を行うために利用する基地局とを有する通信システムが行う通信方法において、
前記基地局が付記１乃至４の何れかに記載の通信方法を行うことを特徴とする通信方法。
【００７２】
（付記６）  付記５に記載の通信方法において、
前記通信端末が備える複数の入力部のそれぞれに当該通信端末が通話接続できない理由を紐付けしておくことが可能なことを特徴とする通信方法。
【００７３】
（付記７）  付記６に記載の通信方法において、
前記通信端末が通話できない状態にあるときに他の通信端末からの着信があった場合は、前記複数の入力部の何れかがユーザーからの入力を受け付け、当該受け付けた入力部に紐付けられている通話接続できない理由を前記他の通信端末に対して通知することを特徴とする通信方法。
【００７４】
（付記８）  通信を行う通信端末が前記通信を行うために利用する基地局に組み込まれる通信プログラムにおいて、
当該基地局が発信側の前記通信端末である第１の通信端末からの発信信号を全ての基地局の中で最初に受け取ることにより発信側の基地局となった場合であって、且つ、前記第１の通信端末が着信側の前記通信端末である第２の通信端末に対して通話を試みたが当該通話ができなかった場合に、前記第１の通信端末に対して前記第２の通信端末との通話接続ができなかった理由を通知する基地局としてコンピュータを機能させることを特徴とする通信プログラム。
【００７５】
（付記９）  付記８に記載の通信プログラムにおいて、
当該基地局が前記第１の端末からの発信信号を前記第２の通信端末に対して直接送信することにより着信側の基地局となった場合であって、且つ、前記第１の通信端末が着信側の前記通信端末である第２の通信端末に対して通話を試みたが当該通話ができなかった場合に、前記第２の通信端末から着信拒否信号を受信し、当該着信拒否信号を前記第１の通信端末が利用する前記発信側の基地局に送信することを特徴とする通信プログラム。
【００７６】
（付記１０）  付記９に記載の通信プログラムにおいて、
当該基地局が前記発信側の基地局になった場合に前記着信拒否信号を受信すると、当該着信拒否信号の種類により判別できる前記第２の通信端末と通話ができなかった理由に適応するガイダンス信号を、前記通話接続ができなかった理由として前記第１の通信端末に通知することを特徴とする通信プログラム。
【００７７】
（付記１１）  付記８乃至１０の何れかに記載の通信プログラムにおいて、
当該基地局が前記着信側の基地局になった場合であって、且つ、前記第１の通信端末が着信側の前記通信端末である第２の通信端末に対して通話を試みたが当該通話ができなかった場合に、前記第１の通信端末の及び前記第２の通信端末の電話番号を着信履歴として記憶しておき、前記第２の通信端末が着信可能状態となった際に前記着信履歴を用いて前記第１の通信端末に対して前記第２の通信端末が着信可能状態となった旨を通知することを特徴とする通信プログラム。
【符号の説明】
【００７８】
１０１  第１のＢＳ
１０２  第２のＢＳ
１０３  第３のＢＳ
１１０  無線部
１２０  制御部
１３０  記憶部
１３０−１  ガイダンス情報
１３０−２  発着信電話番号１３０−２
２０１  第１のＭＳＳ
２０２  第２のＭＳＳ
２０３  第３のＭＳＳ
【図１】
0005594566.tif 000002
【図２】
0005594566.tif 000003
【図３】
0005594566.tif 000004
【図４】
0005594566.tif 000005